(57)【要約】【課題】  有害光や手指の写り込みを防止するレンズフードを備えた撮像装置の操作性を向上すること。【解決手段】  レンズフード４は、モータ２２、ピニオンギア２３、及びレンズフード４に取り付けられたラックギア２４から構成される移動機構９を有している。モード選択スイッチ５を撮影モードに入れると、モードの変化をシステムコントローラ（図示せず）が検出し、モータ２２を駆動する。それに伴い、モータ２２の先に取り付けられたピニオンギア２３が回動し、それと噛み合うラックギア２４の作用により、レンズフード４が水平移動を開始して４ａに示す位置まで突出する。レンズフード４を、撮影時においては筐体外に突出し、非撮影時においては筐体内に収納される移動自在な構造とし、その動作を撮影モードと非撮影モードとに切り替えるモード選択スイッチ５の動作と連動させたことにより、操作性の向上を図った。【選択図】        図２
2005195809.tif 000002
【特許請求の範囲】
【請求項１】
被写体を撮像する撮像手段と、撮影モードと非撮影モードとを切り替えるモード選択手段と、筐体内に収納された収納位置と撮像レンズのフードとして機能する筐体外に突出した突出位置とで移動自在なレンズフードを備えた撮像装置において、
前記モード選択手段による撮影モードへのモード切り替え動作と前記レンズフードを前記突出位置に移動する動作とを連動させたことを特徴とする撮像装置。
【請求項２】
被写体を撮像する撮像手段と、撮影モードと非撮影モードとを切り替えるモード選択手段と、筐体内に収納された収納位置と撮像レンズのフードとして機能する筐体外に突出した突出位置とで移動自在なレンズフードを備えた撮像装置において、
前記モード選択手段による非撮影モードへのモード切り替え動作と前記レンズフードを前記収納位置に移動する動作とを連動させたことを特徴とする請求項１記載の撮像装置。
【請求項３】
前記モード選択手段によって非撮影モードから撮影モードに切り替えた時、前記レンズフードが前記収納位置から前記突出位置に移動し、前記モード選択手段によって撮影モードから非撮影モードに切り替えた時、前記レンズフードが前記突出位置から前記収納位置に移動することを特徴とする請求項１、または請求項２に記載の撮像装置。
【請求項４】
前記レンズフードを前記収納位置から前記突出位置に移動させた時、非撮影モードから撮影モードに切り替わり、前記レンズフードを前記突出位置から前記収納位置に移動させた時、撮影モードから非撮影モードに切り替わることを特徴とする請求項１、または請求項２に記載の撮像装置。
【発明の詳細な説明】
【技術分野】
【０００１】
本発明は、デジタルムービーカメラや、デジタルスチルカメラなどの撮像装置に関する。
【背景技術】
【０００２】
現在、固体撮像素子で撮像した画像をデジタルデータに変換し、内部メモリやメモリカード、ＤＶテープなどの記憶媒体に保存するデジタルムービーカメラや、デジタルスチルカメラが普及している。これらのデジタルカメラに用いられている固体撮像素子、画像処理回路などの部品は、外装筐体の内部に固定され、筐体外面には撮像レンズが露出している。撮像レンズから取り込まれた光学像は、固体撮像素子により電気信号に変換され、A/D 変換、画像処理工程を経て記憶媒体に保存されるか、あるいは液晶表示器に表示される。
【０００３】
現状、デジタルカメラでは、携帯性の向上のため小型化が図られており、その上では撮像レンズが筐体端面と面一になっていることが望ましいが、この様な形状では太陽の直射光など有害光が入射しやすい。また、小型化された筐体は、撮影時にカメラを把持する手指が撮像レンズに係り、手指を写し込んでしまうなどの問題があった。これらの問題を解決するため、特許文献１、２、及び３に記載された発明によれば、不使用時に撮像レンズの前面を覆っている折り畳み式のレンズバリアを、撮像時には撮像レンズの前方に起立させ、有害光の入射や手指の写り込みを防ぐようにしている。
【０００４】
【特許文献１】特開２００２−１４８６８１号公報
【特許文献２】特開２００２−７２２８９号公報
【特許文献３】特開２０００−３２１６２２号公報
【発明の開示】
【発明が解決しようとする課題】
【０００５】
しかしながら、折り畳む性質上、フードとなる羽根状の部材には薄肉の板材が使用されていること、及び展開時の形状なども含めて破損しやすい。また、特許文献１、２に記載のフード形状においては、その一部に隙間が有り、有害光を完全に防ぐことは出来ない。その他、部品点数が多く、組立工数も増えることから、撮影時に後付けするようなレンズフードに比べ、コストも割高である。
【０００６】
本発明は上記課題を鑑みてなされたものであり、カメラを迅速に撮影状態に出来るよう、操作性の向上を図ると共に、有害光の高い遮蔽能力、及び十分な強度を有するレンズフードを備えた撮像装置を提供することを目的とする。
【課題を解決するための手段】
【０００７】
前記目的を達成するため、本発明の撮像装置は、被写体を撮像する撮像手段と、撮影モードと非撮影モードとを切り替えるモード選択手段と、筐体内に収納された収納位置と撮像レンズのフードとして機能する筐体外に突出した突出位置とで移動自在なレンズフードを備え、前記モード選択手段による撮影モードへのモード切り替え動作と前記レンズフードを前記突出位置に移動する動作とを連動させたことを特徴とする。
【０００８】
また、被写体を撮像する撮像手段と、撮影モードと非撮影モードとを切り替えるモード選択手段と、筐体内に収納された収納位置と撮像レンズのフードとして機能する筐体外に突出した突出位置とで移動自在なレンズフードを備え、前記モード選択手段による非撮影モードへのモード切り替え動作と前記レンズフードを前記収納位置に移動する動作とを連動させたことを特徴とする。
【発明の効果】
【０００９】
本発明では、カメラのモード切り替えと、レンズフードを突出、または収納する動作とを連動させ、一度の動作でカメラを図１に示す撮影状態（カメラが撮影モードに入っており、且つフードが突出している状態）にする構成としたことにより、カメラの操作性を向上させることが出来る。
【００１０】
また、レンズフードに筒形状を採用したことにより、フード領域が撮像レンズの全周に渡り、撮影画角外から入射する有害光をほぼ完全に防ぐことが出来る。また、レンズフードの移動機構を筐体内に配置する構成としたことにより、可動部が筐体外に露出している折り畳み式のレンズフードに比べ、形状的、構造的に強度が増し、安定した動作特性を得ることが出来る。また、折り畳み式のレンズフードに比べ部品点数が少なく、構造も単純であることから、コストの低減も見込むことが出来る。
【発明を実施するための最良の形態】
【００１１】
図１は、本発明の実施形態を示す斜視図である。デジタルカメラ２の前面には、被写体像を固体撮像素子上に結像する撮像レンズ３が露出しており、その周りには、有害光の入射、及び手指の写り込みを防止するレンズフード４が取り付けられている。また、デジタルカメラ２の左側面には、デジタルカメラ２のモード（撮影モード、画像再生モードなど）を切り換えるためのモード選択スイッチ５、及びビューファインダ６が取り付けられている。
【００１２】
モード選択スイッチ５を操作し、デジタルカメラ２を撮影モードに入れた時、レンズフード４は図１に示す位置に突出する。また、モード選択スイッチ５を操作し、デジタルカメラ２をその他のモードに入れた時は、レンズフード４はデジタルカメラ２の内部に収納され、その前端がデジタルカメラ２の前面と面一になる。
【００１３】
ビューファインダ６の内側には液晶表示器が備えられており、撮影中の画像や、記憶媒体に保存されている画像、または各種設定を行うメニューリストなどを表示することが出来る。
【００１４】
図２にデジタルカメラ２の部分破断側面図を示す。撮像レンズ３はレンズ鏡筒７に組み込まれ、撮像レンズ３の背後には受光面に結像した被写体光を光電変換する固体撮像素子８が配置されている。なお、撮像レンズ３は、ピント合わせのためにレンズ鏡筒７の内部で光軸方向に移動できるようになっているが、その機構については図示を省略した。また、レンズフード４は前述した通り、モード選択スイッチ５に連動して光軸方向に移動するが、その為の移動機構９が組み込まれており、該移動機構９は、移動時の原動力となるモータ２０、ピニオンギア２３、及びレンズフード４に取り付けられるラックギア２４から構成される。モータ２２の先にはピニオンギア２３が組付けられており、ピニオンギア２３は、ラックギア２４と噛合している。なお、レンズ鏡筒７、固体撮像素子８、移動機構９などの部品は、筐体１１と一体化されたブラケット１０に固定されている。
【００１５】
図３にデジタルカメラ２の内部構成の概略図を示す。固体撮像素子８で撮像したアナログの撮像信号は、A/D 変換器１２でデジタルの画像データに変換される。
【００１６】
システムコントローラ１５は、信号処理回路１６、画像圧縮回路１７などから構成され、操作部（図示せず）からの入力信号に基づいて、デジタルカメラ２の各部を統括的に制御する。このシステムコントローラ１５には、データバス１８を介してＲＡＭ１９、及びＲＯＭ２０が接続されている。ＲＯＭ２０には、各種制御用のプログラムや設定情報などが記録されており、システムコントローラ１５は、これらの情報をＲＯＭ２０から作業用メモリであるＲＡＭ１９に読み出して各種の処理を実行する。なお、操作部は電源ボタン、レリーズボタン、ズーム操作や再生コマの切り換えに使用される十字選択ボタンなどの、各種操作ボタンからなる。
【００１７】
A/D 変換器１２によりデジタル化された画像データは、一旦ＲＡＭ１９に記録される。信号処理回路１６は、ＲＡＭ１９に書き込まれた画像データに対してγ補正、ホワイトバランス補正、シャープネス補正などの各種信号処理を施す。また、信号処理回路１６は、ＲＧＢで表される撮像信号を、輝度信号Ｙ、色差信号Ｃｒ、Ｃｂとに変換するＹＣ処理を施す。補正処理後の画像データは、画像圧縮回路１７にて、所定の画像圧縮形式に圧縮処理を施され、記憶媒体１３に記録される。
【００１８】
図４は、フード突出までの動作を簡潔に示したフローチャートである。モード選択スイッチ５の状態を、システムコントローラ１５で検出し、モード選択スイッチ５が撮影モードにセットされた場合には、モータ２２の駆動を開始する。モータ２２の駆動に伴いピニオンギア２３が回動し、それと噛み合うラックギア２４の作用によりレンズフード４が水平移動を始め、４ａに示す位置まで突出する。なお、レンズフード４の停止位置を決める方法として、ピニオンギア２３、及びラックギア２４のギア比から必要なモータ回転数を計算し、モータ２２にエンコーダ搭載のものなど回転数を制御できるものを使用してモータ回転数で移動距離を決める方法や、レンズフード４の移動限界点にリミットスイッチや、ホール素子などの位置検出機器を配置して機械的に制御する方法などがあげられるが、特に限定するものではない。また、モード選択スイッチ５の状態が、撮影モードからその他のモードに移行された場合、モータ２２を突出時とは逆方向に駆動することにより、筐体内への収納を行うことが可能である。
【００１９】
図５に、移動機構９の第２の実施形態を示す。本実施形態における移動機構９は、押し出し力を付勢するスプリング２５、ロック爪２６、及びモード選択ダイヤル２７から構成される。なお、本実施形態においては、レンズフード４に、ロック爪２６を掛合させるため、及び移動距離を限定するためのフランジ４ｂが設けられている。また、レンズフード４は、筐体１１に設けられたリング状部材１１ａによって保持されている。
【００２０】
スプリング２５は、レンズフードフランジ部４ｂ、及びブラケット１０によってレンズ鏡筒７の外周上に固定され、レンズフード４を突出方向に付勢している。非撮影モードにおける筐体内収納時においては、レンズフードフランジ部４ｂと、ロック爪鍵部２６ａとが掛合し、レンズフード４を保持している。
【００２１】
ロック爪２６と、モード選択ダイヤル２７は、軸２６ｂ、２７ａにおいて回動自在に筐体に取り付けられている。また、その一部２６ｃと２７ｂは歯車を形成しており、互いに噛み合っている。筐体上面に露出したモード選択ダイヤル２７を、図中において反時計方向に手動で回動すると、ロック爪２６はロック爪歯車部２６ｃ、及びモード選択ダイヤル歯車部２７ｂの作用により時計方向に回動し、レンズフードフランジ部４ｂと、ロック爪鍵部２６ａとの掛合が解除される。ロックが解除されたレンズフード４は、スプリング２５の付勢力により移動を始め、レンズフードフランジ部４ｂと筐体リング状部材１１ａとが当接して停止し、４ａに示す位置まで突出する。またそれと同時に、モード選択ダイヤル突起部材２７ｃが、モード検出スイッチ２８を押下し、デジタルカメラ２が撮影モードに入る。なお、レンズフード４を保持している筐体リング状部材１１ａの内面に、スライドベアリングなどの軸受けを設けるなど、レンズフード４の突出を円滑に行うための処置が施されていることが好ましい。
【００２２】
本実施形態では、レンズフード４を移動させる原動力をモータからバネ付勢に変更したことにより、省電力化を図れる、ソフトウェア処理を簡略化できるなどの利点が挙げられる。
【００２３】
図６、及び図７に、移動機構９の第３の実施形態を示す。本実施形態における移動機構９は、モード選択レバー２９、スライドシャフト３０、回転リンク３１、及び回転軸３２から構成される。なお、本実施形態においては、レンズフード４に、回転リンク３１との連結部４ｄが設けられている。
【００２４】
筐体左側面に露出したモード選択レバー２９は、スライドシャフト３０に固定されている。スライドシャフト３０と回転リンク３１は、スライドシャフト連結部３０ａ、及び回転リンク連結孔３１ａにより移動自在となるよう緩やかに嵌め合わされており、回転リンク３１は、回転軸３２により筐体に軸着されている。また、回転リンク３１とレンズフード４は、回転リンク連結孔３１ｂ、及びレンズフード連結部４ｄにより緩やかに嵌め合わされている。なお、回転リンク３１は回転運動をするため、レンズフード４、スライドシャフト３０との高さ方向における位置も変動してしまう。その高さ方向の位置変動を許容するため、回転リンク連結孔３１ａ、３１ｂは、長穴としている。
【００２５】
モード選択レバー２９を手動で水平移動させ、２９ａの位置まで移動させると、一体化しているスライドシャフト３０も同様に水平移動し、連結部３０ａ、３１ａの作用により回転リンク３１が、回転軸３２を中心として回動する。その結果、連結部３１ｂ、４ｄにより連結されたレンズフード４が、モード選択レバー２９とは逆方向に水平移動し、４ａの位置まで突出する。それと同時に、水平移動したスライドシャフト３０の端部がモード検出スイッチ３３を押下し、デジタルカメラ２が撮影モードに入る。また、撮影モードを終了する場合においては、モード選択レバー２９を、２９ａの位置から初期位置に戻すことにより、上記の逆手順でレンズフード４の収納、及び撮影モードの解除が可能である。
【００２６】
図８、及び図９に、移動機構９の第４の実施形態を示す。本実施形態における移動機構９は、モード選択レバー３４、及びレンズフード４に斜めに刻み込まれたカム溝４ｅから構成される。ここで、円筒形状をしたレンズフード４の円の中心を、中心軸３５と定義すれば、モード選択レバー３４は、中心軸３５の放射線上に位置しており、一端はカム溝４ｅと嵌合し、もう一端を筐体外に露出するように配置されている。また、モード選択レバー３４は、中心軸３５を中心に回動自在となるよう、筐体との境界で支持されている。従って本実施形態においては、モード選択レバー３４の動作範囲において、中心軸３５の同心円状に筐体を膨らませる必要を生じる。
【００２７】
モード選択レバー３４を、手動で３４ａの位置まで移動させると、嵌合しているカム溝４ｅに沿ってレンズフード４が４ａの位置まで突出する。またそれと同時にモード選択レバー３４が、モード検出スイッチ３６を押下し、デジタルカメラ２が撮影モードに入る。なお、モード選択レバー３４を、３４ａの位置から初期位置に戻すことにより、上記の逆手順でレンズフード４の収納、及び撮影モードの解除が可能である。
【００２８】
図１０に、移動機構９の第５の実施形態を示す。前記４実施形態については、モード選択手段の操作に応じてレンズフードを移動させる構成であったが、本実施形態においては、レンズフードの移動に応じてモードが切り替わるようにしている。
【００２９】
レンズフード４を手動で４ａの位置まで引き出すと、レンズフード突起部材４ｆが、モード検出スイッチ２８を押下し、デジタルビデオカメラ２が撮影モードに入る。なお、レンズフード４を、４ａの位置から初期位置に戻すことにより、撮影モードの解除が可能である。本実施形態では複雑な移動機構などを必要としないため、システムの簡略化には多大な効果がある。なお、特に限定されるものではないが、本実施形態においてはレンズフード４を直に操作するため、レンズフード４周辺の筐体の一部を凹ませる、引き出し具を設けるなど、レンズフード４を効率良く把持するための工夫があることが好ましい。
【産業上の利用可能性】
【００３０】
本発明は、動画用、もしくは静止画用の何れのデジタルカメラにも適用することが可能である。
【図面の簡単な説明】
【００３１】
【図１】本発明の実施形態を示す斜視図である。
【図２】フード移動機構の第１の実施形態を示す部分破断側面図である。
【図３】デジタルカメラの内部構造を簡潔に示すブロック図である。
【図４】フード移動機構の第１の実施形態におけるレンズフード突出の動作を簡潔に示すフローチャートである。
【図５】フード移動機構の第２の実施形態を示す側方断面図である。
【図６】フード移動機構の第３の実施形態を示す側方断面図である。
【図７】フード移動機構の第３の実施形態を示す斜視図である。
【図８】フード移動機構の第４の実施形態を示す側面図である。
【図９】フード移動機構の第４の実施形態を示す正面図である。
【図１０】フード移動機構の第５の実施形態を示す側方断面図である。
【符号の説明】
【００３２】
２  デジタルカメラ
３  撮像レンズ
４  レンズフード
５  モード選択スイッチ
７  レンズ鏡筒
８  固体撮像素子
９  移動機構
１１  筐体
２７  モード選択ダイヤル
２８、３３、３６、３７  モード検出スイッチ
２９、３４  モード選択レバー
【図１】
2005195809.tif 000003
【図２】
2005195809.tif 000004
【図３】
2005195809.tif 000005
【図４】
2005195809.tif 000006
【図５】
2005195809.tif 000007
【図６】
2005195809.tif 000008
【図７】
2005195809.tif 000009
【図８】
2005195809.tif 000010
【図９】
2005195809.tif 000011
【図１０】
2005195809.tif 000012